【手続補正書】
【提出日】平成18年1月20日(2006.1.20)
【手続補正１】
【補正対象書類名】特許請求の範囲
【補正対象項目名】全文
【補正方法】変更
【補正の内容】
【特許請求の範囲】
【請求項１】
下部基板及び上部基板と、
前記下部基板上に形成されたゲートライン及び前記ゲートラインと直交するデータラインと、
前記ゲートラインとデータラインによって定義される領域に形成された第１のＩＴＯ電極と、
前記下部基板上に前記第１のＩＴＯ電極と重畳されるように形成され、縁部が櫛形状のスリットパターンを有する第２のＩＴＯ電極と、
前記上部基板上に形成されたブラックマトリックスとを含み、
前記第２のＩＴＯ電極は前記楔形状のスリットパターンの縁部がブラックマトリックスとオーバーラップするように配置されていることを特徴とするＦＦＳモード液晶表示装置。
【請求項２】
前記第２のＩＴＯ電極の楔部をブラックマトリックスの縁部から少なくとも０．５μｍ以上内側に離隔するように形成することを特徴とする請求項１記載のＦＦＳモード液晶表示装置。
【請求項３】
前記ブラックマトリックスは導電性を有する物質からなり、かつ、その抵抗が１×１０Ｅ２Ωｃｍ〜１×１０Ｅ７Ωｃｍであることを特徴とする請求項１記載のＦＦＳモード液晶表示装置。
【請求項４】
前記第２のＩＴＯ電極は、スリットパターンの一側が交互に開放された形状を有することを特徴とする請求項１に記載のＦＦＳモード液晶表示装置。
【請求項５】
前記第２のＩＴＯ電極は、長さが互いに異なるスリットパターンが交互に配列された形状を有することを特徴とする請求項１に記載のＦＦＳモード液晶表示装置。
【手続補正２】
【補正対象書類名】明細書
【補正対象項目名】全文
【補正方法】変更
【補正の内容】
【発明の詳細な説明】
【発明の名称】ＦＦＳモード液晶表示装置
【技術分野】
【０００１】
本発明は、ＦＦＳ（Ｆｒｉｎｇｅ  Ｆｉｅｌｄ  Ｓｗｉｔｃｈｎｇ）モード液晶表示装置に関し、より詳細には、動作ムラ及び輝度バラツキ等を改善することができるＦＦＳモード液晶表示装置に関する。
【背景技術】
【０００２】
従来のウルトラ（ｕｌｔｒａ）−ＦＦＳモード液晶表示装置について、図１及び図２を参照して説明する。ここで、図１は、従来のウルトラ（ｕｌｔｒａ）−ＦＦＳモード液晶表示装置の平面図であり、図２はその断面図である。
従来の技術に係るウルトラ−ＦＦＳ液晶表示装置は、図１及び図２に示すように、下部基板１０上にゲートライン１１とデータライン１５が互い直交するように配列され、ゲートライン１１とデータライン１５とが成す空間（ゲートライン１１とデータライン１５によって定義される領域）に第１のＩＴＯ電極１７が配列され、第１のＩＴＯ電極１７と重畳されるように画素電極用第２のＩＴＯ電極１９が配列され、そして、液晶の配向を０度に位置させるように構成されている。ここで、画素電極用第２のＩＴＯ電極１９は、ゲートライン１１或いはデータライン１５に対して傾斜した複数個のスリットパターン１９ａを備え、この時、スリットパターン１９ａが傾斜するように形成されることにより、スリットパターン１９ａの縁部は楔形状を有す。
【０００３】
また、図２に示すように、下部基板１０と対向するように一定間隔だけ離隔するように上部基板２０が配置され、上部基板２０にはブラックマトリックス（ＢＭ）２１が形成されている。ここで、ブラックマトリックス（ＢＭ）２１と重畳される画素電極用第２のＩＴＯ電極１９において、楔形状を有するスリットパターン１０ａの縁部はブラックマトリックス２１の縁部から“ａ”長さだけ離隔した透過領域に配置されている。即ち、第２のＩＴＯ電極１９のスリットパターン１９ａはブラックマトリックス２１とオーバーラップされないように配置されている（例えば、特許文献１参照）。
【０００４】
このような構成により電界による液晶の捩れが上側（カラーフィルタ基板）と下側（アレイ基板）とが逆方向となるようにして液晶の誘電率異方性による青（ｂｌｕｉｓｈ）、黄（ｙｅｌｌｏｗｉｓｈ）への色度の移動を補償するように構成されている。
しかし、このような方法によるＦＦＳモードは、電極間の重なり領域が非常に広くて長時間の電気的動作による絶縁膜等の劣化により残像が良くないという短所がある。
このような短所の改善のため、多様な電極形状と構造変更等が研究されて来た。しかし、従来の設計によるＦＦＳピクセルによれば、不均一な電界形成、即ち、液晶駆動の歪みを発生させる楔形状のスリットパターンの縁部がＢＭでない実際の透過領域に位置している。
その結果、このようなピクセル電極の楔部とＢＭとの位置関係により透過率の低減及び輝度バラツキ（即ち、ピクセル電極の楔部とＢＭとの相互作用による特性の変化）等が製品の特性を低下させて来た。
【特許文献１】特開２００３−２３３０８３号公報
【発明の開示】
【発明が解決しようとする課題】
【０００５】
本発明は、従来技術の問題に鑑みてなされたものであり、ＦＦＳのデザイン構造から与えられるブラックマトリックス（ＢＭ）と画素電極との相互作用を新たな概念に切換えて、従来のＦＦＳから問題となる動作ムラ及び輝度バラツキ等を改善することができるＦＦＳモード液晶表示装置を提供することを目的とする。
【課題を解決するための手段】
【０００６】
前記の目的を達成するための本発明に係るＦＦＳモード液晶表示装置は、下部基板及び上部基板と、前記下部基板上に形成されたゲートラインと前記ゲートラインと直交するデータラインと、前記ゲートラインとデータラインによって定義される領域に形成された第１のＩＴＯ電極と、前記下部基板上に第１のＩＴＯ電極と重畳されるように形成され、縁部が櫛形状の複数のスリットパターンを有する第２のＩＴＯ電極と、前記上部基板上に形成されたブラックマトリックスとを含み、前記第２のＩＴＯ電極は楔形状のスリットパターンの縁部がブラックマトリックスとオーバーラップされるように配置されていることを特徴とする。
【発明の効果】
【０００７】
本発明に係るＦＦＳ液晶表示装置によると、第２のＩＴＯ電極における楔形状を有するスリットパターンの縁部を導電性ブラックマトリックスの内側にオーバーラップされるように配置させることにより、前記スリットパターンの縁部の付近で発生する液晶の歪み（ｄｉｓｔｏｒｔｉｏｎ）、即ち、導電性ブラックマトリックスと楔形状を有するスリットパターンの縁部との間の電界干渉により発生する液晶の歪みが画面上に表示されることを防ぐことができ、従って、液晶の歪みにより発生したムラ（即ち、ブロック、Ｙブロック、輝度バラツキ）と残像（即ち、動作不安定による液晶不安定）を改善することができる。
【発明を実施するための最良の形態】
【０００８】
以下、本発明に係るＦＦＳモード液晶表示装置について、図面を参照しながら詳細に説明する。
図３は、本発明の一実施の形態に係るＦＦＳ液晶表示装置のレイアウト図であり、図４は、本発明の一実施の形態に係るＦＦＳ液晶表示装置の断面図である。
図５及び図６は、本発明の別の実施の形態に係るＦＦＳモード液晶表示装置を説明するための図であって、各々スリットパターンを変形して液晶歪みを改善する実施の形態を示す概略図である。
【０００９】
本発明に係る一実施の形態に係るＦＦＳ液晶表示装置は、図３及び図４に示すように、下部基板３０上にゲートライン３１とゲートライン３１と直交するようにデータライン３５が配列され、ゲートライン３１とデータライン３５とが成す空間（ゲートライン３１とデータライン３５によって定義される領域）に第１のＩＴＯ電極３７が配列され、第１のＩＴＯ電極３７と重畳されるように画素電極用第２のＩＴＯ電極３９が配列され、液晶の配向を０度に位置させるように構成されている。ここで、画素電極用第２のＩＴＯ電極３９は、ゲートライン３１或いはデータライン３５に対して傾斜した複数個のスリットパターン３９ａを備え、ここで、スリットパターン３９ａが傾斜するように形成されることにより、スリットパターン３９ａの縁部は楔形状を有することになる。
【００１０】
また、図４に示すように、下部基板３０と対向して一定間隔だけ離隔するように上部基板４０が配置されており、上部基板４０にはブラックマトリックス（ＢＭ）４１が形成されている。その幅Ｗは２２μｍ以下であることが好ましい。ブラックマトリックス４１は導電性物質で形成され、その導電率は１×１０Ｅ２Ωｃｍ〜１×１０Ｅ７Ωｃｍであることが好ましい。
【００１１】
ここで、本発明に係る下部基板３０上の画素電極用第２のＩＴＯ電極３９は従来技術の場合とは異なり、それのスリットパターン３９ａがブラックマトリックス４１の内側に“ｂ”長さだけ延長するように形成されている。言い換えると、楔形状を有するスリットパターン３９ａの縁部は”ｂ”長さだけがブラックマトリックス４１とオーバーラップするように配置される。従って、本発明に係るＦＦＳモード液晶表示装置はスリットパターン３９ａの縁部の周りで発生する液晶歪みによるムラと残像が画面上に表示されることを防ぐことができる。”ｂ”の値は０．５μｍ以上であることが好ましい。
また、画素電極用第２のＩＴＯ電極３９はデータライン３５に対して対称に形成されることが好ましい。
【００１２】
図５または図６は本発明の別の実施の形態である。
図５に示す実施の形態は、スリットパターン５９ａの一側を開放させ、開放部分が交互になるように形成することにより、第２のＩＴＯ電極５９がジグザグ（ｓｅｒｐｅｎｔｉｎｅ）形状を有するように形成したものである。ブラックマトリックスは６１である。
また、図６に示す実施の形態は、長さば互いに異なるスリットパターン６９ａを交互に配置したものである。ブラックマトリックスは７１である。
ここで、図５及び図６の実施の形態は全てスリットパターン５９ａ、６９ａの縁部はブラックマトリックス６１、７１とオーバーラップされるように配置される。
画素電極用第２のＩＴＯ電極５９、６９の楔部を図５、図６の形態に形成することにより、液晶の歪を改善できる。
【００１３】
本発明に係る実施の形態は、当業者であれば本発明の特許請求の範囲に記載の技術的範囲内で多様な変更実施が可能である。
【図面の簡単な説明】
【００１４】
【図１】従来のウルトラ（ｕｌｔｒａ）−ＦＦＳモード液晶表示装置の平面図である。
【図２】従来のウルトラ（ｕｌｔｒａ）−ＦＦＳモード液晶表示装置の断面図である。
【図３】本発明の実施の形態に係るＦＦＳモード液晶表示装置の平面図である。
【図４】本発明の実施の形態に係るＦＦＳモード液晶表示装置の断面図である。
【図５】本発明の別の実施の形態に係るＦＦＳモード液晶表示装置のスリットパターンの縁部の形状の説明図である。
【図６】本発明の別の実施の形態に係るＦＦＳモード液晶表示装置のスリットパターンの縁部の形状の説明図である。
【符号の説明】
【００１５】
３０    下部基板
３１    ゲートライン
３５    データライン
３７    第１のＩＴＯ電極
３９    第２のＩＴＯ電極
４０    上部基板
４１    ブラックマトリックス（ＢＭ）
ｂ      ブラックマトリックスと画素電極のスリットパターンの縁部との間の距離
Ｃ      データライン幅
Ｗ      ブラックマトリックス幅
【手続補正３】
【補正対象書類名】図面
【補正対象項目名】全図
【補正方法】変更
【補正の内容】
【図１】
2005070747.tif 000001
【図２】
2005070747.tif 000002
【図３】
2005070747.tif 000003
【図４】
2005070747.tif 000004
【図５】
2005070747.tif 000005
【図６】
2005070747.tif 000006